【手続補正書】
【提出日】平成27年7月17日(2015.7.17)
【手続補正１】
【補正対象書類名】特許請求の範囲
【補正対象項目名】請求項１
【補正方法】変更
【補正の内容】
【請求項１】
第１の方向に配設された複数の第１のループコイルと、前記第１の方向と交差する第２の方向に配設された複数の第２のループコイルを有し、指示体によって指示される位置を検出するセンサ基板と、
前記指示体との電磁結合を行うために、前記第１のループコイル及び前記第２のループコイルの少なくとも一方のループコイルに供給すべき送信信号を生成する送信信号生成回路と、
前記指示体との電磁結合によって、前記第１のループコイル及び前記第２のループコイルの少なくとも一方のループコイルに誘起した信号を受信して前記指示体によって指示される位置を検出する受信信号処理回路と、
前記送信信号生成回路によって生成された前記送信信号を前記第１のループコイル及び前記第２のループコイルの少なくとも一方のループコイルに選択的に供給するためのループコイル選択回路と、
前記送信信号生成回路から送信される前記送信信号は、前記ループコイルのそれぞれに対応して設けられたコンデンサを介して供給されるように構成され、
前記ループコイル選択回路によるループコイル選択を制御するための制御回路と、
前記センサ基板に重畳配置され、前記第１のループコイル及び前記第２のループコイルの少なくとも一方のループコイルに供給された送信信号によって生成される磁束に対して磁路を形成する磁路板と、
を備え、
前記制御回路は、前記第１の方向に配設された前記第１のループコイルと前記第２の方向に配設された前記第２のループコイルの少なくとも一方の方向に配設されたループコイルに前記送信信号を供給するに際し、前記少なくとも一方の方向に配設されたループコイルであって、前記センサ基板の少なくとも１つの端部領域に配設された所定数のループコイルには前記送信信号が供給されないようにするとともに、前記端部領域に配設された所定数のループコイルに近接するループコイルに前記送信信号を供給する際には、前記ループコイルに対応して設けられた前記コンデンサを介して供給されるように前記ループコイル選択回路を制御するようにしたことを特徴とする指示体位置検出装置。
【手続補正２】
【補正対象書類名】明細書
【補正対象項目名】００１０
【補正方法】変更
【補正の内容】
【００１０】
上記課題を解決するため、請求項１に記載の発明の指示体位置検出装置は、
第１の方向に配設された複数の第１のループコイルと、前記第１の方向と交差する第２の方向に配設された複数の第２のループコイルを有し、指示体によって指示される位置を検出するセンサ基板と、
前記指示体との電磁結合を行うために、前記第１のループコイル及び前記第２のループコイルの少なくとも一方のループコイルに供給すべき送信信号を生成する送信信号生成回路と、
前記指示体との電磁結合によって、前記第１のループコイル及び前記第２のループコイルの少なくとも一方のループコイルに誘起した信号を受信して前記指示体によって指示される位置を検出する受信信号処理回路と、
前記送信信号生成回路によって生成された前記送信信号を前記第１のループコイル及び前記第２のループコイルの少なくとも一方のループコイルに選択的に供給するためのループコイル選択回路と、
前記送信信号生成回路から送信される前記送信信号は、前記ループコイルのそれぞれに対応して設けられたコンデンサを介して供給されるように構成され、
前記ループコイル選択回路によるループコイル選択を制御するための制御回路と、
前記センサ基板に重畳配置され、前記第１のループコイル及び前記第２のループコイルの少なくとも一方のループコイルに供給された送信信号によって生成される磁束に対して磁路を形成する磁路板と、
を備え、
前記制御回路は、前記第１の方向に配設された前記第１のループコイルと前記第２の方向に配設された前記第２のループコイルの少なくとも一方の方向に配設されたループコイルに前記送信信号を供給するに際し、前記少なくとも一方の方向に配設されたループコイルであって、前記センサ基板の少なくとも１つの端部領域に配設された所定数のループコイルには前記送信信号が供給されないようにするとともに、前記端部領域に配設された所定数のループコイルに近接するループコイルに前記送信信号を供給する際には、前記ループコイルに対応して設けられた前記コンデンサを介して供給されるように前記ループコイル選択回路を制御するようにしたことを特徴とする。
【手続補正３】
【補正対象書類名】明細書
【補正対象項目名】００１１
【補正方法】変更
【補正の内容】
【００１１】
請求項１に記載の発明の指示体位置検出装置によれば、センサ基板と、送信信号生成回路と、受信信号処理回路と、ループコイル選択回路と、ループコイル選択回路を制御する制御回路とを備えている。磁路板の面積とほぼ同一の面積を有するセンサ基板には、複数の第１のループコイルと複数の第２のループコイルとが交差する方向に配設されている。複数の第１のループコイルと複数の第２のループコイルの少なくとも一方のループコイルに送信信号を供給する際には、制御回路は、センサ基板の少なくとも１つの端部領域に配設された所定数のループコイルには送信信号が供給されないようにループコイル選択回路を制御する。また、端部領域に配設された所定数のループコイルに近接するループコイルに送信信号を供給する際には、ループコイルに対応して設けられたコンデンサを介して供給される。
【手続補正４】
【補正対象書類名】明細書
【補正対象項目名】００２７
【補正方法】変更
【補正の内容】
【００２７】
検波回路２６６によって検波された信号は、ローパスフィルタ２６７およびサンプルホールド回路２６８を介してＡ／Ｄ変換回路２６９に供給される。Ａ／Ｄ変換回路２６９では、アナログ信号をディジタル信号に変換し、処理制御部２６０に供給する。処理制御部２６０は、位置検出のため制御を行う。すなわち、処理制御部２６０は、選択回路２６１におけるループコイルの選択、送受信切り替え回路２６４での信号切り替え制御、サンプルホールド回路２６８のタイミングなどを制御する。なお、受信アンプ２６５、検波回路２６６、ローパスフィルタ２６７、サンプルホールド回路２６８、及びＡ／Ｄ変換回路２６９は受信信号処理回路を構成する。
【手続補正５】
【補正対象書類名】明細書
【補正対象項目名】００７１
【補正方法】変更
【補正の内容】
【００７１】
これにより、Ｘ軸方向の両端部領域のループコイル２１Ｘ０、２１Ｘ１、２１Ｘｎ−１、２１Ｘｎには、送信信号が供給されることはないので、送信信号の送出フェーズにおいては、Ｘ軸方向の両端部領域に配設されたループコイル２１Ｘ２、及び２１Ｘｎ−２よりも磁路板の端部がそれぞれ外方に延出した大きさとなり、磁路板としての機能が発揮されて、不要輻射を大幅に低減させることができる。そして、ループコイル２１Ｘ２、２１Ｘｎ−２に送信信号が供給された場合には、同調共振によって隣接するループコイル２１Ｘ０、２１Ｘ１、２１Ｘｎ−１、２１Ｘｎからも送信信号が送出される。このため、これらのループコイル２１Ｘ０、２１Ｘ１、２１Ｘｎ−１、２１Ｘｎを通じても、不要輻射にならない程度に、ペン型位置指示器１００に対しても電力供給が行える。しかし、センサ部２０Ａ、２０Ｂのそれぞれの端部領域に配設された所望の数のループコイル、この例では、ループコイル２１Ｘ０、２１Ｘ１、２１Ｘｎ−１、２１Ｘｎに対しては、送信信号を供給していないので、送信信号の送出のために駆動されるセンサ部２０Ａ、２０Ｂの最端部に位置するループコイルに対して寸法の大きな磁路板３０が配置されている状態が形成されていることとなり、磁路板３０によって効果的に不要輻射を低減させることができる。
【手続補正６】
【補正対象書類名】明細書
【補正対象項目名】００７９
【補正方法】変更
【補正の内容】
【００７９】
この後、３番目の送出フェーズからｎ−３番目の送出フェーズまでは、ループコイル２１Ｘ３〜２１Ｘｎ−３までのループコイルが順番に送信信号を送出するためのループコイルとして選択される。そして、ｎ−２番目の送出フェーズでは、ループコイル２１Ｘｎ−２と、更にセンサ部２０Ｃの反対側に位置するループコイル２１Ｘ２が送信信号を送出するためのループコイルとして選択される。同様に、本来、ループコイル２１Ｘｎ−１、ループコイル２１Ｘｎが送信信号を送出するためのループコイルとなるべきｎ−１番目とｎ番目の送出フェーズにおいても、これらのループコイルに隣接するループコイル２１Ｘｎ−２と、更にセンサ部２０Ｃの反対側に位置するループコイル２１Ｘ２が送信コイルとして選択される。すなわち、ｎ−２番目、ｎ−１番目、ｎ番目の送出フェーズにおいては、スイッチＳＸｎ−１、ＳＸｎはオフにされ、スイッチＳＸｎ−２、ＳＸ２がオンにされる。